(57)【要約】      （修正有）【課題】携帯に便利で非常時の排泄が円滑にでき、汚物回収袋を安全かつ衛生的に保存して持ち帰ることができる携帯用汚物回収ユニットを提供する。【解決手段】軟質性の汚物回収袋３と該汚物回収袋３を収容するチャック付き保存袋４とをそれぞれ面状に折り畳み、これらと凝固剤を収容した偏平な凝固剤収納袋５とを積み重ねて偏平な軟質性の外袋２内に収容する。チャック付きの保存袋４は、袋本体の上部にチャックを設け、袋本体の下部に底部シートを一体に接合してなり、袋本体及び底部シートはアルミニウムの層を含む複数のプラスチック層をラミネート加工して形成したシート材からなる。【選択図】図１
0003186382.tif 000002
【実用新案登録請求の範囲】
【請求項１】
軟質性の汚物回収袋（３）と該汚物回収袋（３）を収容するチャック付き保存袋（４）とをそれぞれ面状に折り畳み、これらと凝固剤を収容した偏平な凝固剤収納袋（５）とを積み重ねて偏平な軟質性の外袋（２）内に収容したことを特徴とする携帯用汚物回収ユニット。
【請求項２】
チャック付きの保存袋（４）は、袋本体（６）の上部にチャック（７）を設け、袋本体（６）の下部に底部シート（８）を一体に接合してなり、前記袋本体（６）及び底部シート（８）はアルミニウムの層を含む複数のプラスチック層をラミネート加工して形成したシート材からなる請求項１記載の携帯用汚物回収ユニット。
【請求項３】
汚物回収袋（３）は、軟質プラスチックシートにより筒状の主体（３ａ）を設け、該主体（３ａ）の左右両側部を互いに接近する方向に中割り折りして該主体（３ａ）の両側に襠片（３ｂ，３ｃ）を形成し、該襠片（３ｂ，３ｃ）の下端部を前記主体（３ａ）の下端部に一体的に固着して上面のみが開口した側面視方形の汚物回収袋（３）を形成したことを特徴とする請求項１又は２記載の携帯用汚物回収ユニット。
【請求項４】
凝固剤収納袋（５）内には、水分を凝固させる凝固剤（５ａ）に脱臭剤（５ｂ）を混在させて収納した請求項１、２又は３記載の携帯用汚物回収ユニット。
【考案の詳細な説明】
【技術分野】
【０００１】
本考案は、リュックサック、バッグ、衣類のポケット等に入れて簡便に携帯でき、登山する山岳地、地震による災害地等、便所のないところでの排泄（排便・排尿）、及び排泄物（汚物）の回収が容易にかつ安全にできる携帯用汚物回収ユニットに関する。
【背景技術】
【０００２】
従来の技術として、ポリエチレン製の汚物回収袋内に吸水性マットを固着し、これを折り畳んで５枚〜１０枚単位で偏平な軟質性の外袋内に収容したものがあった。
【０００３】
前記従来のものは、地震、台風等の自然災害で便器の水が出なくなった際、あるいは便器のない屋外等で排泄する際に、前記汚物回収袋を外袋から取り出して広げることにより、該汚物回収袋に排泄することができる。
【０００４】
しかしながら、前記従来のものは外袋内に汚物回収袋のみを収容していたので、使用後の汚物回収袋を安全かつ衛生的に保存して持ち帰るには不十分であった。
【先行技術文献】
【特許文献】
【０００５】
【特許文献１】特開２０００−２４５６５４号公報
【考案の概要】
【考案が解決しようとする課題】
【０００６】
本考案は、汚物回収袋、保存袋、及び凝固剤収納袋を共通の外袋内に収容することにより、携帯に便利で非常時の排泄が円滑にでき、汚物回収袋を安全かつ衛生的に保存して持ち帰ることができるようにした携帯用汚物回収ユニットを得ることを目的とする。
【課題を解決するための手段】
【０００７】
本考案は、上記目的を達成するために以下の如く構成したものである。即ち、請求項１に係る考案は、軟質性の汚物回収袋と該汚物回収袋を収容するチャック付き保存袋とをそれぞれ面状に折り畳み、これらと凝固剤を収容した偏平な凝固剤収納袋とを積み重ねて偏平な軟質性の外袋内に収容したものである。
請求項２に係る考案は、チャック付きの保存袋は、袋本体の上部にチャックを設け、袋本体の下部に底部シートを一体に接合してなり、前記袋本体及び底部シートはアルミニウムの層を含む複数のプラスチック層をラミネート加工して形成したシート材から構成したものである。
請求項３に係る考案は、汚物回収袋は、軟質プラスチックシートにより筒状の主体を設け、該主体の左右両側部を互いに接近する方向に中割り折りして該主体の両側に襠片を形成し、該襠片の下端部を前記主体の下端部に一体的に固着して上面のみが開口した側面視方形の汚物回収袋を形成したものである。
請求項４に係る考案は、凝固剤収納袋内に、水分を凝固させる凝固剤に脱臭剤を混在させて収納したものである。
【考案の効果】
【０００８】
本考案の請求項１に係る考案は、汚物回収袋及びチャック付き保存袋をそれぞれ面状に折り畳み、これらと偏平な凝固剤収納袋とを積み重ねて外袋内に収容したので、全体がコンパクトになり、携帯が便利となる。また、使用後の汚物回収袋をチャック付きの保存袋に収容して安全かつ衛生的に持ち帰ることができる。
請求項２に係る発明は、袋本体及び底部シートがアルミニウムの層を含む複数のプラスチック層をラミネート加工したシート材からなるので、引き裂き強度が高く、安全に内容物を保存できる。袋本体の下部に底部シートを一体に接合してなるので、小型にして大きな内容量を確保することができる。袋本体の上部にチャックを設けてあるので、開閉自在で、チャックを閉じれば気密性を確保できる。
保存袋内に排泄物を収容した汚物回収袋を収容してチャックを閉じれば、気密性が確保され、引き裂き強度が高いので、リュックサック、カバン等に入れて安全にかつ衛生的に持ち帰ることができる。
また、請求項３に係る考案は、中割り折りした襠片の下端部を主体の下端部に重ねて該主体の下端部に固着したので、襠片を広げると、該襠片の下端部が上方に引き上げられ、これに伴って主体の下端部も上方に引き上げられることになる。このため、汚物回収袋を拡開させると、該汚物回収袋の底部が面状に広がることになる。これにより、排尿、排便等の排泄物が汚物回収袋内の底部に向かって円滑に落下・堆積されることになる。
また、請求項４に係る考案は、凝固剤が排泄物中の水分を効率よく凝固させるとともに、脱臭剤が外部への異臭の発散を防止することになる。
【図面の簡単な説明】
【０００９】
【図１】本考案の実施例を示す斜視図である。
【図２】中身を取り出した外袋の斜視図である。
【図３】外袋に収容可能な状態に折り畳んだ汚物回収袋の斜視図である。
【図４】外袋に収容可能な状態に折り畳んだ保存袋の斜視図である。
【図５】凝固剤収納袋の斜視図である。
【図６】外袋から出した汚物回収袋をシート状に広げた状態の斜視図である。
【図７】外袋から出した保存袋をシート状に広げた状態の正面図である。
【図８】図７のＶＩＩＩａ−ＶＩＩＩａ，ＶＩＩＩｂ−ＶＩＩＩｂ断面図である。
【図９】汚物回収袋を容器状に広げた状態の斜視図である。
【図１０】使用後の汚物回収袋の開口部を縛った状態の斜視図である。
【図１１】使用後の汚物回収袋を保存袋に収容した状態の斜視図である。
【考案を実施するための形態】
【００１０】
以下、本考案の実施例を図面に基づいて具体的に説明する。図１において、１は携帯用汚物回収ユニットであり、外袋２内に汚物回収袋３、チャック付き保存袋４、及び凝固剤収納袋５を収容してなる。前記外袋２は軟質性のプラスチックフィルムにより、横幅Ｌ１が約９ｃｍ、たて幅Ｌ２が約１３ｃｍとなる長方形状に形成し、たて方向の一端側に開閉可能な口２ａを有し、開閉可能な閉じ片２ｂを設けてある。該口２ａは、図２に示すように、たて方向の一端側全域が開くようになっている。
【００１１】
前記汚物回収袋３は、軟質プラスチックシート、例えばポリエチレンシートにより形成される。即ち、図６に示すように、筒状の主体３ａの左右両側を互いに接近する方向に中割り折りし、該左右両側に一辺の幅Ｗ３が約１５ｃｍとなる襠片３ｂ、３ｃを形成し、該襠片３ｂ，３ｃの下端部を前記主体３ａの下端部に重ねて両者を一体的に固着（熱融着）するとともに、主体３ａの下端部を閉塞してなり、これにより、襠片３ｂ、３ｃを折り畳んだときの汚物回収袋３は、横幅（左右幅）Ｗ１が約４０ｃｍ、たて幅（上下幅）Ｗ２が約５５ｃｍとなる長方形状とする。
【００１２】
前記汚物回収袋３を外袋２に収容する際には、図６に示す２点鎖線ａ、ｂを基準として左右及び上下に折り、図３に示すように折り畳み、該折り畳んだ際の大きさは、前記外袋２に収容できるように、横幅Ｌ３が約７．５ｃｍ、たて幅Ｌ４が約１１ｃｍとなる長方形状とする。
【００１３】
チャック付き保存袋４は、袋本体６の上部に雌型チャック７ａと雄型チャック７ｂからなるチャック７が形成され、袋本体６の下部内周に底部となる折り畳み自在の底部シート８が熱融着により一体に接合されている。図７中符号９は熱融着部である。
保存袋は広げた状態では、図８に示すように、底部シート８は逆Ｖ形に折り畳まれた状態となっているが、開口部１０から排泄物を収容した汚物収容袋３を投入すると、図１１に示すように、底部シート８が広がってその中央部が下がって保存袋４は自立できるようになっている。
図７に示すように広げた状態の保存袋４は、横幅（左右幅）Ｗ４が約２０ｃｍ、たて幅（上下幅）Ｗ５が約３１ｃｍとなる長方形状とする。
【００１４】
前記チャック付き保存袋４を外袋２に収容する際には、図７に示す２点鎖線ｃ、ｄを基準として左右及び上下に折り、図４に示すように折り畳み、該折り畳んだ際の大きさは、前記外袋２に収容できるように、横幅Ｌ５が約７．５ｃｍ、たて幅Ｌ６が約１１ｃｍとなる長方形状とする。
【００１５】
保存袋を構成する袋本体６、底部シート８としては、アルミニウム箔又はアルミニウム蒸着層を含む複数のプラスチック層をラミネート加工したものが好ましい。例えば、ポリエチレンテレフタレート（ＰＥＴ）層、ポリエチレン（ＰＥ）層、アルミニウム箔又はアルミニウム蒸着（ＡＬ）層、ポリエチレン（ＰＥ）層をラミネート加工したシート材が、引き裂き強度が高く破れ難いため好ましい。
【００１６】
凝固剤収納袋５内には、水分を凝固させる粒状の凝固剤５ａの他に粒状の脱臭剤５ｂを混在させてある。除菌剤をさらに添加してもよい。凝固剤収納袋５は偏平状に形成されており、偏平な外袋２内に収容し易くしてある。その大きさは横幅（左右幅）Ｌ７が約５ｃｍ、たて幅（上下幅）Ｌ８が約８ｃｍとなる長方形状とする。図５において、符号５ｃは熱融着部、５ｄは切り込みである。
【００１７】
前記実施例によれば、携帯用汚物回収ユニット１は、汚物回収袋３及びチャック付き保存袋４をそれぞれ面状に折り畳み、これらと偏平な凝固剤収納袋５とを積み重ねて外袋２内に収容したので、全体がコンパクトになり、バッグ、あるいは衣類等のポケット等に入れて簡便に携帯することができる。
【００１８】
また、汚物回収袋３は、襠片３ｂ，３ｃを広げると該襠片３ｂ，３ｃの下端部及び主体３ａの下端部が上方に引き上げられて汚物回収袋３の底部が面状に広がることになる。このため、汚物回収袋３を拡開させると、該汚物回収袋３が図９に示すように、上部から底部に向かって箱状に拡開し、底部が面状に広がることになる。これにより、排尿、排便等の排泄物が汚物回収袋３内の底部に向かって円滑に落下・堆積される。その後、凝固剤収納袋５を破って凝固剤５ａ，脱臭剤５ｂを散布する（図９）。凝固剤５ａは、吸水ポリマーによって排泄物中の水分を効率よく吸着して凝固させるとともに、脱臭剤５ｂが排泄物による外部への異臭発散を防止し、排泄物（汚物）を清潔に回収することができる。
【００１９】
次いで、図１０に示すように、汚物回収袋３内の空気をできるだけ抜きながら開口部を縛り、チャック付き保存袋４内に汚物回収袋を収容し、できるだけ空気を抜き、チャック７を閉めて密閉する（図１１）。これにより、チャック付き保存袋４をリュックサックやカバン等に収容して安全かつ衛生的に持ち帰ることができる。チャック付き保存袋４は、引き裂き強度が高く強靱で耐久性に富むので、鋭利なもので刺さない限り、破れることはない。
【符号の説明】
【００２０】
１    携帯用汚物回収ユニット
２    外袋
２ａ  口
２ｂ  閉じ片
３    汚物回収袋
３ａ  主体
３ｂ，３ｃ  襠片
４    チャック付き保存袋
５    凝固剤収納袋
５ａ  凝固剤
５ｂ  脱臭剤
５ｃ  熱融着部
５ｄ  切り込み
６  袋本体
７  チャック
７ａ  雌型チャック
７ｂ  雄型チャック
８  底部シート
９  熱融着部
１０  開口部
【図１】
0003186382.tif 000003
【図２】
0003186382.tif 000004
【図３】
0003186382.tif 000005
【図４】
0003186382.tif 000006
【図５】
0003186382.tif 000007
【図６】
0003186382.tif 000008
【図７】
0003186382.tif 000009
【図８】
0003186382.tif 000010
【図９】
0003186382.tif 000011
【図１０】
0003186382.tif 000012
【図１１】
0003186382.tif 000013